【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】  デジタルフィルタを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクと、反対称有限インパルス応答フィルタ係数ベクトルの成分に基づく値を有する少なくとも１つのルックアップテーブルとを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサとを備えているデジタルフィルタリング用システム。
【請求項２】  デジタルフィルタを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクと、状態選択ベクトルの少なくとも一部に基づいてゼロ選択信号を生成するように構成され配置されている組み合わせ論理回路とを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサとを備えているデジタルフィルタリング用システム。
【請求項３】  複数の記憶バンクの中のそれぞれには、有限インパルス応答フィルタ係数ベクトルの成分に基づく値を有する少なくとも１つのルックアップテーブルが含まれている請求項２記載のデジタルフィルタリング用システム。
【請求項４】  デジタルフィルタを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置され、位相カウント信号の少なくとも一部に基づくシーケンス選択信号にしたがって入力ベクトルを状態選択ベクトルにマッピングするように構成され配置されている１組の論理ゲートと、
それぞれが、状態選択ベクトルを受け取り、状態選択ベクトルにより示される状態信号を生成するように構成され配置されている複数の記憶バンクを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサとを備えているデジタルフィルタリング用システム。
【請求項５】  デジタルフィルタを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサと、
選択された状態信号と反転信号とを受け取って、出力信号を生成するように構成され配置されているインバータとを備えているデジタルフィルタリング用システム。
【請求項６】  反転信号は位相カウント信号に基づいている請求項５記載のデジタルフィルタリング用システム。
【請求項７】  状態選択ベクトルの少なくとも一部の成分は反転信号に基づいている請求項５記載のデジタルフィルタリング用システム。
【請求項８】  デジタルフィルタを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサと、
クロック信号にしたがって入力信号を受け取り、入力ベクトルを生成するように構成され配置されているシフトレジスタと、
位相カウント信号を生成するように構成され配置されている位相カウンタとを備え、
位相カウント信号のカウントレートはクロック信号のレートの倍数であるデジタルフィルタリング用システム。
【請求項９】  デジタルフィルタと第２のフィルタと加算器とを具備する、デジタルフィルタリング用システムにおいて、
デジタルフィルタは、
入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサとを備え、
第２のフィルタは、第２の入力ベクトルを受け取り、第２の選択された状態信号に基づく信号を生成するように構成され配置され、
加算器は、選択された状態信号に基づく信号と、第２の選択された状態信号に基づく信号とを加算するように構成され配置されているデジタルフィルタリング用システム。
【請求項１０】  システムは時間の経過に対して入力信号の値を受け取るように構成され配置されており、
入力ベクトルの成分は第１の時間期間に対して受信された入力信号の値に対応し、
第２の入力ベクトルの成分は、第１の時間期間とは異なる第２の時間期間に対して受信された入力信号の値に対応する請求項９記載のデジタルフィルタリング用システム。
【請求項１１】  デジタルフィルタリング用システムにおいて、
入力信号を受け取り、複数の入力ベクトルを生成するように構成され配置されているシフトレジスタと、
位相カウント信号を受け取るように構成され配置されている複数のデジタルフィルタとを具備し、
各デジタルフィルタは、
対応する入力ベクトルと位相カウント信号とを受け取り、位相カウント信号の少なくとも一部と、入力ベクトルの少なくとも一部とに基づいて、状態選択ベクトルを生成するように構成され配置されている１組の論理ゲートと、
それぞれが、状態選択ベクトルを受け取り、状態選択ベクトルにより示される状態信号を生成するように構成され配置されている複数の記憶バンクを含む状態記憶装置と、
複数の状態信号と、位相カウント信号の少なくとも一部に基づくバンク選択信号とを受け取り、バンク選択信号に対応する選択された状態信号を送るように構成され配置されているマルチプレクサと、
複数の選択された状態信号に基づいて合計を生成するように構成され配置されている少なくとも１つの加算器とを備え、
複数の入力ベクトルのそれぞれの成分は対応する時間期間に対して受信された入力信号の値に対応し、各入力ベクトルは異なる時間期間に対応しているデジタルフィルタリング用システム。
【請求項１２】  少なくとも１つのデジタルフィルタの状態記憶装置には少なくとも１つのルックアップテーブルが含まれている請求項１１記載のデジタルフィルタリング用システム。
【請求項１３】  少なくとも１つのルックアップテーブルは有限インパルス応答フィルタ係数ベクトルの成分に基づく値を有する請求項１２記載のデジタルフィルタリング用システム。
【請求項１４】  少なくとも１つのデジタルフィルタの１組の論理ゲートは、位相カウント信号の少なくとも一部に基づくシーケンス選択信号にしたがって、対応する入力ベクトルを対応する状態選択ベクトルにマッピングするように構成され配置されている請求項１１記載のデジタルフィルタリング用システム。
【請求項１５】  少なくとも１つのデジタルフィルタは、対応する選択された状態信号と反転信号とを受け取って、出力信号を生成するように構成され配置されているインバータをさらに備える請求項１１記載のデジタルフィルタリング用システム。
【請求項１６】  反転信号は位相カウント信号に基づいている請求項１５記載のデジタルフィルタリング用システム。
【請求項１７】  対応する状態選択ベクトルの少なくとも一部の成分は反転信号に基づいている請求項１５記載のデジタルフィルタリング用システム。
【請求項１８】  デジタルフィルタリングの方法において、
入力ベクトルと位相カウント信号とを受け取り、
位相カウント信号の少なくとも一部にしたがって入力ベクトルを状態選択ベクトルにマッピングし、
状態選択ベクトルを複数の記憶バンクを備える状態記憶装置に入力し、
複数の記憶バンクのそれぞれから状態選択ベクトルに対応する状態信号を受け取り、
バンク選択信号にしたがって複数の状態信号の中から状態信号を選択することを含むデジタルフィルタリングの方法。
【請求項１９】  状態記憶装置は複数の記憶値を有し、状態信号の少なくともサブセットのそれぞれは記憶値の対応する１つに基づいている請求項１８記載のデジタルフィルタリングの方法。
【請求項２０】  記憶値は有限インパルス応答フィルタ係数ベクトルの成分に基づいている請求項１９記載のデジタルフィルタリングの方法。
【請求項２１】  記憶値は予め定められた最大フィルタ出力値に関して正規化されている請求項１９記載のデジタルフィルタリングの方法。
【請求項２２】  バンク選択信号は入力ベクトルの少なくとも一部に基づいている請求項１８記載のデジタルフィルタリングの方法。